(57)【要約】【課題】無線信号の受信状況が経時変化する様子を表示できるようにする。【解決手段】コンピュータ装置１の演算処理部１０は、テレビジョン放送波を受信しテレビジョン映像ウィンドウＷＴにテレビジョン映像を表示させているとき、当該テレビジョン放送波の受信状況を数値によって表す受信状況値ＶＲが経時変化する様子をグラフ化した受信状況グラフＧＲＳを表示部３に表示させることにより、受信状況値ＶＲが時間の経過と共に変化する様子をユーザに視覚的に把握させることができる。【選択図】図５
2007288515.tif 000002
【特許請求の範囲】
【請求項１】
無線信号を受信する受信手段と、
上記無線信号を受信した際における受信状況を数値化した受信状況値として検出する検出手段と、
上記受信状況値の経時変化を所定形式のグラフとして所定の表示部に表示する表示手段と
を具えることを特徴とする受信状況表示装置。
【請求項２】
上記表示部は、
上記受信状況値を所定段階に区分し、上記受信状況値の段階に応じて表示を変化させることによりその時点における上記受信状況値の概況を示す表示アイコンと共に、上記グラフを表示する
ことを特徴とする請求項１に記載の受信状況表示装置。
【請求項３】
上記表示部は、
上記グラフ上に上記段階ごとのしきい値を示す区分線を表示する
ことを特徴とする請求項２に記載の受信状況表示装置。
【請求項４】
上記無線信号は、テレビジョン放送波でなり、
上記受信手段は、
上記テレビジョン放送波を受信すると共に当該テレビジョン放送波から映像信号を抽出し、
上記表示手段は、
上記映像信号に基づく映像と共に上記グラフを上記表示部に表示する
ことを特徴とする請求項１に記載の受信状況表示装置。
【請求項５】
上記表示手段は、
上記映像信号に基づく映像に重ねて上記グラフを上記表示部に表示する
ことを特徴とする請求項４に記載の受信状況表示装置。
【請求項６】
上記表示手段は、
上記表示部における所定の映像表示領域に上記映像信号に基づく映像を表示すると共に、上記映像表示領域と異なるグラフ表示領域に上記グラフを表示する
ことを特徴とする請求項４に記載の受信状況表示装置。
【請求項７】
上記無線信号は、直交振幅変調されており、
上記受信状況は、ＭＥＲ（Modulation Error Ratio）である
ことを特徴とする請求項１に記載の受信状況表示装置。
【請求項８】
無線信号を受信する受信ステップと、
上記無線信号を受信した際における受信状況を数値化した受信状況値として検出する検出ステップと、
上記受信状況値の経時変化を所定形式のグラフとして所定の表示部に表示する表示ステップと
を具えることを特徴とする受信状況表示方法。
【請求項９】
無線信号受信装置に対して、
無線信号を受信する受信ステップと、
上記無線信号を受信した際における受信状況を数値化した受信状況値として検出する検出ステップと、
上記受信状況値の経時変化を所定形式のグラフとして所定の表示部に表示する表示ステップと
を実行させることを特徴とする受信状況表示プログラム。
【発明の詳細な説明】
【技術分野】
【０００１】
本発明は受信状況表示装置、受信状況表示方法及び受信状況表示プログラムに関し、例えば様々な場所でテレビジョン放送波を受信して映像及び音声を再生する可搬型のテレビジョン受信装置に適用して好適なものである。
【背景技術】
【０００２】
従来、可搬型のテレビジョン受信装置においては、ユーザによって所望の場所へ持ち運ばれ、アンテナを介して受信したテレビジョン放送波を復調する等して映像信号及び音声信号を抽出し、表示部に映像を表示させると共にスピーカから音声を出力するようになされたものが広く普及している。
【０００３】
ところで、かかるテレビジョン受信装置は、テレビジョン放送波を所定レベル以上の受信感度で受信できた場合のみ映像信号や音声信号を正しく抽出することができるものの、無線信号であるテレビジョン放送波の性質上、ユーザにより持ち運ばれた場所や、アンテナの方向等の要因により、テレビジョン放送波の受信状態が様々に変化することになる。
【０００４】
このためかかる可搬型のテレビジョン受信装置は、テレビジョン放送波を良好に受信し得るよう、ユーザに設置場所やアンテナの方向等を調整させることを前提としている。
【０００５】
しかしながら、テレビジョン放送波は無線信号であるため、受信強度が強い場所等をユーザが視覚的に把握することはできない。このため、テレビジョン放送波を良好に受信するために当該テレビジョン受信装置の設置場所やアンテナの方向等を調整することは、当該ユーザにとって困難な作業となっていた。
【０００６】
そこで、テレビジョン受信装置と同様に電波を受信する無線子機において、電波の受信強度に応じて表示を段階的に変化させることにより、その時点における電波の受信状態をユーザに視覚的に把握させるようになされたものが提案されている（例えば、特許文献１参照）。
【特許文献１】特開２００５−１５１２２６公報（第１図）
【発明の開示】
【発明が解決しようとする課題】
【０００７】
ところで、かかる構成のテレビジョン装置において、ユーザが設置場所やアンテナの方向等を徐々に変化させながら、テレビジョン放送波を最も良好に受信し得る状態を探索することがある。
【０００８】
このときテレビジョン受信装置は、上述したように受信強度に応じて表示を変化させた場合、その時点における受信強度はユーザに把握させ得るものの、表示内容を随時更新してしまうため、受信強度の経時変化や過去の受信強度との直接的な比較ができず、ユーザの記憶に頼らせることになり、テレビジョン放送波を良好に受信し得る状態の探索作業が必ずしも容易ではないという問題があった。
【０００９】
本発明は以上の点を考慮してなされたもので、無線信号の受信状況が経時変化する様子を表示し得る受信状況表示装置、受信状況表示方法及び受信状況表示プログラムを提案しようとするものである。
【課題を解決するための手段】
【００１０】
かかる課題を解決するため本発明においては、無線信号を受信し、無線信号を受信した際における受信状況を数値化した受信状況値として検出し、受信状況値の経時変化を所定形式のグラフとして所定の表示部に表示するようにした。
【００１１】
これにより、受信状況値が時間の経過と共に変化する様子をグラフとしてユーザに提示することができる。
【発明の効果】
【００１２】
本発明によれば、受信状況値が時間の経過と共に変化する様子をグラフとしてユーザに提示することができ、かくして無線信号の受信状況が経時変化する様子を表示し得る受信状況表示装置、受信状況表示方法及び受信状況表示プログラムを実現することができる。
【発明を実施するための最良の形態】
【００１３】
以下、図面について、本発明の一実施の形態を詳述する。
【００１４】
（１）コンピュータ装置の構成
図１において、コンピュータ装置１は、全体としていわゆるノート型コンピュータ装置として構成されており、キーボード２Ａ及びタッチパッド２Ｂでなる操作部２、表示部３、演算処理部（図示せず）等が一体になされ、ユーザによって容易に持ち運ばれるようになされている。
【００１５】
コンピュータ装置１は、一般的なコンピュータ装置と同様の演算処理機能を有しており、キーボード２Ａ及びタッチパッド２Ｂ等を介してユーザによる操作を受け付け、当該操作に応じて各種プログラムを実行し、その実行結果を液晶パネルでなる表示部３に表示し得るようになされている。
【００１６】
さらに無線信号受信装置としてのコンピュータ装置１は、テレビジョン放送番組をユーザに視聴させ得るようになされており、アンテナ４を介してテレビジョン放送波を受信し、所定の復調処理等を行うことにより映像信号及び音声信号を抽出し、当該映像信号に基づいた映像を表示部３に表示すると共に当該音声信号に基づいた音声を左右のスピーカ５から出力させるようになされている。
【００１７】
このコンピュータ装置１は、図２（Ａ）に示すように、演算処理部１０を中心とした回路構成を有している。この演算処理部１０は、図２（Ｂ）に示すように、演算処理を行うＣＰＵ（Central Processing Unit）１０Ａ、起動プログラム等が格納されたＲＯＭ（Read Only Memory）１０Ｂ、ＣＰＵ１０Ａのワーク領域として用いられるＲＡＭ（Random Access Memory）１０Ｃがバス１０Ｄを介して互いに接続されている。
【００１８】
実際上、演算処理部１０のＣＰＵ１０Ａは、電源が投入されると、ＲＯＭ１０Ｂから起動プログラムを読み出して実行し、さらにハードディスクドライブでなる記憶部１１（図２（Ａ））からＯＳ（Operating System）等の基本プログラムや、テレビジョン放送受信プログラム及び受信状況グラフ表示プログラム等の各種アプリケーションプログラムを読み出し、これらをＲＡＭ１０Ｃに展開して実行することにより各種処理を実行するようになされている。
【００１９】
またコンピュータ装置１は、操作部２を介したユーザの操作に基づいて演算処理部１０によりテレビジョン放送受信プログラムが実行されると、アンテナ４によりテレビジョン放送波ＷＶを受信し、これを高周波受信部１２へ供給する。
【００２０】
因みに高周波受信部１２は、地上ディジタルテレビジョン放送における６［ＭＨｚ］の帯域を１３のセグメントに分割した内の１つのセグメントのみでなる、いわゆる「ワンセグ」放送のテレビジョン放送波を受信するようになされている。
【００２１】
高周波受信部１２は、テレビジョン放送波ＷＶを所定の中間周波信号ＳＩＦに変換し、これを復調部１３へ供給する。復調部１３は、中間周波信号ＳＩＦに対して所定の復調処理等を施すことによりトランスポートストリーム信号ＳＴＳを生成し、これを演算処理部１０へ供給する。
【００２２】
演算処理部１０は、トランスポートストリーム信号ＳＴＳに対して所定の復号化処理等を施すことにより映像信号ＳＶ及び音声信号ＳＡを生成し、当該映像信号ＳＶを表示制御部１４へ、当該音声信号ＳＡを音声処理部１５へそれぞれ送出する。
【００２３】
これに応じて表示制御部１４は、映像信号ＳＶに基づいた映像（すなわちテレビジョン映像）を表示部３に表示させる。また音声処理部１５は、当該音声信号ＳＡをディジタルアナログ変換した上でスピーカ５（図１）へ送出することにより、当該音声信号ＳＡに応じた音声（すなわちテレビジョン音声）を出力させる。
【００２４】
このとき演算処理部１０は、図３に示すように、表示制御部１４を介して表示部３にテレビジョン映像ウィンドウＷＴを表示させるようになされており、当該テレビジョン映像ウィンドウＷＴ内のテレビジョン映像表示領域ＡＲ１に、映像信号ＳＶに基づいたテレビジョン映像を表示させる。
【００２５】
因みに演算処理部１０は、いわゆるマルチタスク型のＯＳを起動しており、テレビジョン放送受信プログラムと並行してウェブブラウザ等の他のアプリケーションプログラムが実行された場合、図３に示したように、テレビジョン映像ウィンドウＷＴに加えて当該アプリケーションプログラムに対応するアプリケーションウィンドウＷＡを表示部３に表示させるようになされている。
【００２６】
テレビジョン映像ウィンドウＷＴには、映像信号ＳＶに応じた映像を表示するためのテレビジョン映像表示領域ＡＲ１に加えて、記憶部１１に格納されているビデオコンテンツ等を再生する際に、再生や一時停止、早送り等といった操作を受け付けるための操作ボタン群が配置されている操作ボタン領域ＡＲ２、及びテレビジョン放送の各チャンネルにおいて放送中の番組名等を表示する番組情報表示領域ＡＲ３が表示されている。
【００２７】
さらにテレビジョン映像ウィンドウＷＴの左上部には、テレビジョン放送波の受信状況を表す受信状況アイコンＩＲＳが表示されるようになされている。この受信状況アイコンＩＲＳは、図４に示すように、携帯電話機等において用いられているアイコンと同様、アンテナの形を模したアンテナマークＭＡと、棒状でなりその長さが徐々に長くなるよう並べられた５本のバーマークＭＢ１、ＭＢ２、ＭＢ３、ＭＢ４及びＭＢ５とによって構成されている。
【００２８】
実際上、演算処理部１０（図２）は、テレビジョン放送波の受信状況を数値化した受信状況値ＶＲを復調部１３から取得し、当該受信状況値ＶＲを基に、最も低い受信レベルＬＶ０から最も高い受信レベルＬＶ５迄の６段階のうち、この時点における受信状況がいずれの受信レベルＬＶに区分されるかを判定する。
【００２９】
因みに復調部１３は、ディジタル信号を受信し復調する際に判明する、符号を表すベクトルが理想的なベクトルから揺らいだ（かけ離れた）程度を表すＭＥＲ（Modulation Error Ratio）を基に、受信状況値ＶＲを算出するようになされている。また受信状況値ＶＲは、０から２５５迄の２５６段階の数値として表されるようになされており、数値が大きいほど受信状況が良好であることを示している。
【００３０】
続いて演算処理部１０は、受信レベルＬＶ０であればアンテナマークＭＡのみ、受信レベルＬＶ１であればアンテナマークＭＡ及びバーマークＭＢ１、受信レベルＬＶ２であればアンテナマークＭＡ、バーマークＭＢ１及びＭＢ２、……、受信レベルＬＶ５であればアンテナマークＭＡ及びバーマークＭＢ１〜ＭＢ５を表示させるといった具合に、その時点における受信レベルＬＶの判定結果に応じて、受信状況アイコンＩＲＳの表示パターンを変化させるようになされている。
【００３１】
因みに演算処理部１０は、受信状況アイコンＩＲＳを所定の更新周期（例えば１秒間）毎に更新するようになされている。
【００３２】
このようにコンピュータ装置１は、テレビジョン放送受信プログラムが起動されると、テレビジョン放送波を受信してその映像をテレビジョン映像ウィンドウＷＴのテレビジョン映像表示領域ＡＲ１に表示させ、その時点におけるテレビジョン放送波の受信状況に応じて受信状況アイコンＩＲＳの表示パターンを更新するようになされている。
【００３３】
（２）受信状況グラフの表示
かかる構成に加えてコンピュータ装置１は、テレビジョン映像ウィンドウＷＴにテレビジョン映像を表示させると共に、受信状況値ＶＲが経時変化する様子をグラフ化して表示部３に表示し得るようになされている。
【００３４】
実際上、コンピュータ装置１は、ユーザによる所定のグラフ表示操作を受け付けると、図３と対応する図５に示すように、テレビジョン映像ウィンドウＷＴの下部において受信チャンネル選択領域ＡＲ３を縮小し、受信状況グラフ表示領域ＡＲ４を設け、当該受信状況グラフ表示領域ＡＲ４に受信状況グラフＧＲＳを表示させる。
【００３５】
ここで受信状況グラフＧＲＳは、図６に拡大して示すように、横軸が時間を表すと共に、縦軸が受信状況値ＶＲの大きさを表しており、受信状況値ＶＲの経時変化を受信状況曲線ＣＲＳによって表している。
【００３６】
また受信状況グラフＧＲＳは、表示枠ＦＲ内が区分線ＬＢによって上下方向に５分割されており、区分された各領域が下側から受信レベルＬＶ１〜受信レベルＬＶ５にそれぞれ対応している。さらに表示枠ＦＲの左上にはアンテナマークＭＡが表示されると共に、表示枠ＦＲ内において区分された各領域の左側には、当該アンテナマークＭＡの下側となる箇所に、それぞれバーマークＭＢ１〜ＭＢ５が適宜組み合わされて表示されている。
【００３７】
これにより受信状況グラフＧＲＳは、区分線ＬＢが受信レベルＬＶの境界線を表していること、及び表示枠ＦＲ内の区分された各領域がそれぞれの受信レベルＬＶに対応していることをユーザに認識させ得るようになされている。
【００３８】
またコンピュータ装置１は、受信状況アイコンＩＲＳの更新周期に合わせて、受信状況グラフＧＲＳを所定の更新周期（例えば１秒間）毎に更新するようになされている。
【００３９】
このようにコンピュータ装置１は、表示部３に受信状況グラフＧＲＳを表示することにより、受信レベルＬＶが時間的に変化する様子をユーザに視覚的に把握させ得るようになされている。
【００４０】
ところでコンピュータ装置１は、図５に示した表示方式と異なる他の表示方式によっても、表示部３に受信状況グラフＧＲＳを表示し得るようになされている。
【００４１】
例えばコンピュータ装置１は、ユーザの操作指示に基づき、図７に示すように、テレビジョン映像ウィンドウＷＴを比較的大きく表示し、テレビジョン映像表示領域ＡＲ１の割合を大きくすると共に番組情報表示領域ＡＲ３（図５）を表示させないようにすることもできる。
【００４２】
この場合、コンピュータ装置１は、ユーザにより受信状況グラフの表示操作を受け付けると、図８に示すように、テレビジョン映像ウィンドウＷＴとは別にグラフウィンドウＷＧを表示すると共に、当該グラフウィンドウＷＧ内に受信状況グラフＧＲＳを表示するようになされている。
【００４３】
またコンピュータ装置１は、ユーザの操作指示に応じて、図９に示すように、テレビジョン映像ウィンドウＷＴのテレビジョン映像表示領域ＡＲ１内における一部の矩形領域を区切っていわゆる子画面としてグラフ表示領域ＡＲ１Ｘを設け、当該グラフ表示領域ＡＲ１Ｘ内に受信状況グラフＧＲＳを表示し得るようにもなされている。
【００４４】
さらにコンピュータ装置１は、ユーザの操作指示に応じて、図１０に示すように、テレビジョン映像ウィンドウＷＴのテレビジョン映像表示領域ＡＲ１内に、テレビジョン映像に重畳させ、受信状況グラフＧＲＳをオーバレイ表示させ得るようにもなされている。
【００４５】
このようにコンピュータ装置１は、ユーザの操作指示に応じて受信状況グラフＧＲＳの表示方式を図５以外にも図８、図９及び図１０に示したように切り換え得るようになされており、いずれの場合であっても、図５に示した場合と同様に、テレビジョン映像と共に、受信状況グラフＧＲＳによって受信レベルＬＶが時間的に変化する様子をユーザに視覚的に把握させ得るようになされている。
【００４６】
（３）受信状況グラフ表示処理
次に、コンピュータ装置１の演算処理部１０が受信状況グラフＧＲＳを表示部３に表示させる際の受信状況グラフ表示処理手順ＲＴ１について、図１０のフローチャートを用いて説明する。
【００４７】
すなわち演算処理部１０のＣＰＵ１０Ａは、テレビジョン放送受信プログラムが起動された状態で、ユーザによる受信状況グラフを表示するための操作を受け付けると、記憶部１１（図２（Ａ））から受信状況グラフ表示プログラムを読み出してＲＡＭ１０Ｃに展開することにより、受信状況グラフ表示処理手順ＲＴ１を開始してステップＳＰ１へ移る。
【００４８】
ステップＳＰ１においてＣＰＵ１０Ａは、復調部１３（図２）から受信状況値ＶＲを取得し、次のステップＳＰ２へ移る。
【００４９】
ステップＳＰ２においてＣＰＵ１０Ａは、新たに取得した受信状況値ＶＲと以前に取得した受信状況値ＶＲとを基に、図６に示したような受信状況グラフＧＲＳを生成し、次のステップＳＰ３へ移る。
【００５０】
ステップＳＰ３においてＣＰＵ１０Ａは、ユーザに指示された表示方式、すなわち図５、図８、図９或いは図１０のいずれかの表示方式により受信状況グラフＧＲＳを表示部３に表示した後、再度ステップＳＰ１へ戻って一連の処理を繰り返すことにより受信状況グラフＧＲＳを更新し続ける。
【００５１】
因みにＣＰＵ１０Ａは、ユーザによる受信状況グラフの表示終了指示やテレビジョン映像の表示終了指示を受け付けた時点で、受信状況グラフ表示処理手順ＲＴ１を終了するようになされている。
【００５２】
（４）動作及び効果
以上の構成において、コンピュータ装置１の演算処理部１０は、テレビジョン映像ウィンドウＷＴにテレビジョン映像を表示させているとき、ユーザによる所定の操作を受け付けると、図５に示したように、受信状況値ＶＲが経時変化する様子をグラフ化した受信状況グラフＧＲＳを表示部３に表示させる。
【００５３】
従ってコンピュータ装置１の演算処理部１０は、受信状況グラフＧＲＳによって、受信状況値ＶＲが時間の経過と共に変化する様子をユーザに視覚的に把握させることができる。
【００５４】
これにより、例えばユーザがコンピュータ装置１の位置やアンテナ４の方向を徐々に変化させながら、テレビジョン放送波を最も良好に受信し得る状態（すなわち場所及び方向）を探索するような場合に、受信状況グラフＧＲＳにおける時間の経過による受信状況値ＶＲの変化を、場所や方向の変化と対応付けて当該ユーザに認識させることができる。
【００５５】
すなわちコンピュータ装置１の演算処理部１０は、受信状況グラフＧＲＳ上において異なる時刻における受信状況値ＶＲ同士を目視により直接的に比較させることができるので、テレビジョン放送波を最も良好に受信し得る状態をユーザに容易に探索させることができる。
【００５６】
また演算処理部１０は、受信状況グラフＧＲＳにおいて２５６段階の数値でなる受信状況値ＶＲをグラフとして表すことにより、受信レベルＬＶに応じて６段階に表示パターンを変化させる受信状況アイコンＩＲＳよりも詳細な受信状況をユーザに通知することができる。
【００５７】
さらに演算処理部１０は、受信状況グラフＧＲＳの表示枠ＦＲ内における受信レベルＬＶの境界を表す区分線ＬＢを表示すると共に、区分された領域毎にバーマークＭＢ１〜ＭＢ５を適宜組み合わせて表示しているため、受信状況値ＶＲと受信状況アイコンＩＲＳとの対応関係を容易に認識させることができる。
【００５８】
以上の構成によれば、コンピュータ装置１の演算処理部１０は、テレビジョン放送波を受信する際、受信状況値ＶＲが経時変化する様子をグラフ化した受信状況グラフＧＲＳを表示部３に表示させることにより、受信状況値ＶＲが時間の経過と共に変化する様子をユーザに視覚的に把握させることができる。
【００５９】
（５）他の実施の形態
なお上述した実施の形態においては、直交振幅変調されたディジタル方式のテレビジョン放送波に応じて復調部１３においてＭＥＲを基に受信状況値ＶＲを算出するようにした場合について述べたが、本発明はこれに限らず、電波が表す内容（情報）の種類や通信方式等に応じて、当該電波の受信状況を示す他の種々の値を基に当該受信状況値ＶＲを算出するようにしても良い。
【００６０】
この場合、例えば、復調部１３において復調処理を行った際に算出し得る１ビット単位の誤り率であるＢＥＲ（Bit Error Rate）、高周波受信部１２において受信した信号の強度を表すＲＳＳＩ（Received Signal Strength Indicator）、高周波受信部１２において受信した信号における搬送波と雑音との比であるＣ／Ｎ（Carrier / Noise）比、或いは携帯電話システム等のような双方向通信システムにおける、リンクを確立した際の互いの通信品質の指針であるＬＱＭ（Link Quality Monitoring）等を基に受信状況値ＶＲを算出することができる。このとき演算処理部１０は、受信状況値ＶＲの算出方法に応じて、図２に破線で示したように、当該受信状況値ＶＲを高周波受信部１２から取得しても良い。
【００６１】
また上述した実施の形態においては、受信状況グラフＧＲＳをいわゆる折れ線グラフとして表示部３に表示するようにした場合について述べたが、本発明はこれに限らず、例えば図１２に示すような棒グラフや、図１３に示すようなレーダーチャート等の種々の方式でなるグラフとして当該受信状況グラフＧＲＳを表示するようにしても良い。
【００６２】
さらに上述した実施の形態においては、受信状況グラフＧＲＳの表示枠ＦＲ内を区分線ＬＢにより分割し、各領域にバーマークＭＢ１〜ＭＢ５を適宜組み合わされて表示するようにした場合について述べたが、本発明はこれに限らず、例えば各領域にバーマークＭＢ１〜ＭＢ５を表示しないようにしたり、或いは図１４に示すように表示枠ＦＲ内を区分線ＬＢにより分割しないようにしても良い。
【００６３】
さらに上述した実施の形態においては、表示部３にテレビジョン映像と受信状況グラフＧＲＳとを両方とも表示するようにした場合について述べたが、本発明はこれに限らず、例えば表示部３の解像度が低い場合等に、受信状況グラフＧＲＳを表示する時にテレビジョン映像を表示しないようにしても良い。
【００６４】
さらに上述した実施の形態においては、図４に示したように、アンテナの形を模したアンテナマークＭＡと、棒状でなる５本のバーマークＭＢ１〜ＭＢ５との組み合わせにより受信状況アイコンＩＲＳを構成するようにした場合について述べたが、本発明はこれに限らず、例えば図１５に示すように、アンテナマークＭＡに代えてテレビジョン装置を模式的に表すテレビジョンマークＭＴとバーマークＭＢ１〜ＭＢ５との組み合わせにより受信状況アイコンＩＲＳを構成するようにしても良い。
【００６５】
また受信状況アイコンＩＲＳを構成するバーマークＭＢは５本に限らず、一般的な携帯電話機等において用いられているように３本とする等、任意の数とするようにしても良い。この場合、バーマークＭＢの本数と、受信状況グラフＧＲＳにおける表示枠ＦＲ内の分割数とを一致させることが望ましい。
【００６６】
さらに上述した実施の形態においては、図５に示したように、テレビジョン映像ウィンドウＷＴの受信状況アイコンＩＲＳ及び受信状況グラフＧＲＳの双方を表示部３に表示するようにした場合について述べたが、本発明はこれに限らず、例えば表示部３に受信状況グラフＧＲＳを表示する際、テレビジョン映像ウィンドウＷＴに受信状況アイコンＩＲＳを表示しないようにしても良い。
【００６７】
さらに上述した実施の形態においては、可搬型のコンピュータ装置１においてテレビジョン放送波を受信する際に、当該テレビジョン放送波の受信状況を受信状況グラフＧＲＳとして表示するようにした場合について述べたが、本発明はこれに限らず、例えば据置型や携帯型、或いは車載型等の様々なテレビジョン装置、或いはテレビジョン放送波を受信しテレビジョン番組を録画する録画装置において、テレビジョン放送波の受信状況を受信状況グラフＧＲＳとして表示するようにしても良い。
【００６８】
この場合、地上ディジタルテレビジョン放送における１セグメントを用いる「ワンセグ」放送波を受信する場合に限らず、１２セグメントを用いる通常の地上ディジタルテレビジョン放送波やＢＳ（Broadcast Satellite）ディジタルテレビジョン放送、或いはアナログのテレビジョン放送等といった種々のテレビジョン放送波の受信状況を受信状況グラフＧＲＳとして表示するようにしても良い。
【００６９】
据置型のテレビジョン装置等では、家屋等に固定式のアンテナを設置する際に、当該アンテナの位置や方向を微調整するための指針として用いることができる。
【００７０】
因みに、録画装置が受信状況グラフＧＲＳを表示し得るような表示部を有していない場合、当該受信状況グラフＧＲＳを映像信号として生成すると共に外部のモニタ装置等へ送出し、当該モニタ装置を介して当該受信状況グラフＧＲＳをユーザに提示するようにすれば良い。
【００７１】
さらに上述した実施の形態においては、コンピュータ装置１においてテレビジョン放送波を受信する際に、当該テレビジョン放送波の受信状況を受信状況グラフＧＲＳとして表示するようにした場合について述べたが、本発明はこれに限らず、例えばラジオ放送波を受信するラジオ受信機や、基地局との間で互いに無線電波を送受信する携帯電話機において種々の電波を受信する際に、当該電波の受信状況を受信状況グラフＧＲＳとして所定の表示部に表示するようにしても良い。
【００７２】
例えば、図１６に示すように、携帯電話機２０において基地局３０との間で音声やデータを変調した無線信号を送受信する際の、当該基地局３０から受信した無線信号の受信状況を受信状況グラフＧＲＳとして表示部２２に表示する等しても良い。
【００７３】
またこの場合、例えば図１７に示すように、基地局３０において携帯電話機２０からの無線信号を受信した際の受信状況値ＶＲを当該携帯電話機２０がデータとして取得し、携帯電話機２０における無線信号の受信状況を表す受信状況グラフＧＲＳ１と、基地局３０における無線信号の受信状況を表す受信状況グラフＧＲＳ２との両方を表示部２２に表示するようにしても良い。これにより、携帯電話機２０が受信する無線信号の受信状況に加えて、携帯電話機２０から送信する無線信号の送信状況をユーザに目視確認させることができる。
【００７４】
さらに上述した実施の形態においては、受信状況グラフ表示プログラムを記憶部１１に格納しておくようにした場合について述べたが、本発明はこれに限らず、当該受信状況グラフ表示プログラムを図示しないＣＤ−ＲＯＭ（Compact Disc-Read Only Memory）メディアや図示しないメモリースティック（ソニー株式会社の登録商標）等のような着脱自在の記憶媒体から読み出して直接実行し、又はＲＡＭ１０Ｃや記憶部１１にインストールして実行するようにしても良く、さらには図示しないＵＳＢ（Universal Serial Bus）ケーブルやＩＥＥＥ（Institute of Electrical and Electronics Engineers）８０２．１１ａ／ｂ／ｇ規格の無線通信、或いは地上ディジタルテレビジョン放送等を介して当該受信状況グラフ表示プログラムを取得して実行するようにしても良い。
【００７５】
さらに上述した実施の形態においては、受信手段としてのアンテナ４、高周波受信部１２及び復調部１３と、検出手段としての高周波受信部１２及び復調部１３と、表示手段としての演算処理部１０とによって受信状況表示装置としてのコンピュータ装置１を構成する場合について述べたが、本発明はこれに限らず、その他種々の回路構成でなる受信手段と、検出手段と、表示手段とによって受信状況表示装置を構成するようにしても良い。
【産業上の利用可能性】
【００７６】
本発明は、電波を受信する種々の受信装置でも利用できる。
【図面の簡単な説明】
【００７７】
【図１】コンピュータ装置の全体構成を示す略線的斜視図である。
【図２】コンピュータ装置の回路構成を示すブロック図である。
【図３】テレビジョン画像の表示（１）を示す略線図である。
【図４】受信状況アイコンの構成を示す略線図である。
【図５】受信状況グラフの表示（１）を示す略線図である。
【図６】受信状況グラフの構成を示す略線図である。
【図７】テレビジョン画像の表示（２）を示す略線図である。
【図８】受信状況グラフの表示（２）を示す略線図である。
【図９】受信状況グラフの表示（３）を示す略線図である。
【図１０】受信状況グラフの表示（４）を示す略線図である。
【図１１】受信状況グラフ表示処理手順を示すフローチャートである。
【図１２】他の実施の形態による受信状況グラフ（１）を示す略線図である。
【図１３】他の実施の形態による受信状況グラフ（２）を示す略線図である。
【図１４】他の実施の形態による受信状況グラフ（３）を示す略線図である。
【図１５】他の実施の形態による受信状況アイコンの構成を示す略線図である。
【図１６】携帯電話機における受信状況グラフの表示（１）を示す略線図である。
【図１７】携帯電話機における受信状況グラフの表示（２）を示す略線図である。
【符号の説明】
【００７８】
１……コンピュータ装置、３……表示部、４……アンテナ、１０……演算処理部、１０Ａ……ＣＰＵ、１０Ｂ……ＲＯＭ、１１……記憶部、１２……高周波受信部、１３……復調部、ＶＲ……受信状況値、ＷＴ……テレビジョン映像ウィンドウ、ＧＲＳ……受信状況グラフ、ＩＲＳ……受信状況アイコン、ＷＧ……グラフウィンドウ。
【図１】
2007288515.tif 000003
【図２】
2007288515.tif 000004
【図３】
2007288515.tif 000005
【図４】
2007288515.tif 000006
【図５】
2007288515.tif 000007
【図６】
2007288515.tif 000008
【図７】
2007288515.tif 000009
【図８】
2007288515.tif 000010
【図９】
2007288515.tif 000011
【図１０】
2007288515.tif 000012
【図１１】
2007288515.tif 000013
【図１２】
2007288515.tif 000014
【図１３】
2007288515.tif 000015
【図１４】
2007288515.tif 000016
【図１５】
2007288515.tif 000017
【図１６】
2007288515.tif 000018
【図１７】
2007288515.tif 000019